(57)【要約】【課題】  病室間等の移動時においても検査場所の情報を容易に確認することが可能な移動型Ｘ線検査装置を提供すること。【解決手段】  Ｘ線管１１およびコリメータ１２よりなるＸ線照射部が、固定位置に配置されているときには、液晶タッチパネル２５には、予めオーダ情報記憶部５１に記憶されたオーダ情報のうち、次に検査が行われる検査を行う検査場所の情報が表示される。一方、Ｘ線検査を実行するときには、液晶タッチパネル２５には、オーダ情報のうち、被検者の情報とＸ線撮影についての各種の情報が表示される。そして、オペレータにより、これらの情報を利用してＸ線検査が実行される。【選択図】        図２
2018068821.tif 000002
【特許請求の範囲】
【請求項１】
移動用の車輪を有する台車と、前記台車に支持部材を介して支持されたＸ線照射部と、前記台車に配設された表示部と、を備えた移動型Ｘ線検査装置において、
Ｘ線検査を実行する検査場所の情報と、Ｘ線検査を実行する被検者の情報とを含むＸ線検査のオーダ情報を取得して記憶するオーダ情報記憶部と、
Ｘ線検査を実行するときに、前記オーダ情報記憶部に記憶された前記被検者の情報を前記表示部に表示させるとともに、Ｘ線検査を実行しないときに、前記被検者の情報に替えて、前記オーダ情報記憶部に記憶された検査を行う検査場所の情報を前記表示部に表示させる画像処理部と、
を備えたことを特徴とする移動型Ｘ線検査装置。
【請求項２】
請求項１に記載の移動型Ｘ線検査装置において、
前記画像処理部は、前記Ｘ線照射部がＸ線撮影を実行するための撮影位置に配置されたときに、前記被検者の情報を前記表示部に表示するとともに、前記Ｘ線照射部が装置を移動するための固定位置に配置されたときに、前記被検者の情報に替えて次の検査を行う検査場所の情報を前記表示部に表示する移動型Ｘ線検査装置。
【請求項３】
請求項２に記載の移動型Ｘ線検査装置において、
前記Ｘ線照射部は、前記固定位置にあるときに前記表示部の上部に配置されるとともに、
前記画像処理部は、前記表示部における前記Ｘ線照射部に覆われない領域に、検査を行う検査場所の情報を表示する移動型Ｘ線検査装置。
【発明の詳細な説明】
【技術分野】
【０００１】
この発明は、移動用の車輪を有する台車と、この台車に支持部材を介して支持されたＸ線照射部とを備えた移動型Ｘ線検査装置に関する。
【背景技術】
【０００２】
このような移動型Ｘ線検査装置は、回診用Ｘ線撮影装置とも呼称されるものであり、病室間を移動するために車輪が配設された台車を備え、支持部材により支持されたＸ線管から照射され、コリメータにより照射野が規制されたＸ線を被検者に照射し、被検者を通過したＸ線をフィルムにより撮影する構成を有する。このような移動型Ｘ線検査装置は、Ｘ線検査を外部電源のない場合を含む不特定の場所で行うことを可能するために、台車にＸ線管に高電圧を付与するためのバッテリを搭載している。
【０００３】
近年においては、フィルムに替えて、フラットパネルディテクタ等のデジタル式のＸ線検出器を備えた移動型Ｘ線検査装置が多用されるようになっている。このような移動型Ｘ線検査装置は、ＤＲ（Ｄｉｇｉｔａｌ  Ｒａｄｉｏｇｒａｐｈｙ）とも呼ばれ、フラットパネルディテクタ（Ｆｌａｔ  Ｐａｎｅｌ  Ｄｅｔｅｃｔｏｒ：ＦＰＤ）等のＸ線検出器により撮影した画像を、台車に配設されたＬＣＤ（Ｌｉｑｕｉｄ  Ｃｒｙｓｔａｌ  Ｄｉｓｐｌａｙ）等から構成される表示部に即座に表示し得る構成となっている。また、この表示部には、Ｘ線撮影のオーダ情報が表示される構成となっている。
【０００４】
このような移動型Ｘ線検査装置においては、次に検査を実行すべき場所の情報を表示するようにすれば、検査を効率的に実行することができる。このため、特許文献１においては、次の撮影オーダがある場合には、その撮影オーダを表示部に表示することが可能な放射線撮影装置が開示されている。
【先行技術文献】
【特許文献】
【０００５】
【特許文献１】特開２０１５−１６３８８号公報
【発明の概要】
【発明が解決しようとする課題】
【０００６】
Ｘ線検査を実行しているときには、撮影された画像だけではなく、Ｘ線検査を実行する検査場所の情報や、Ｘ線検査を実行する被検者の情報などを含むＸ線検査のオーダ情報が、台車に設けられた表示部に表示される。一方、病室間等において装置を移動させるときには、プライバシー保護やセキュリティ上の観点から、被検者の個人情報を含むオーダ情報が第三者に観察されないようにする必要があり、表示部を非表示状態としている。このため、オペレータは、この状態においては、次に検査を行うべき検査場所の情報を確認することが不可能となるという問題が生ずる。
【０００７】
この発明は上記課題を解決するためになされたものであり、病室間等の移動時においても検査場所の情報を容易に確認することが可能な移動型Ｘ線検査装置を提供することを目的とする。
【課題を解決するための手段】
【０００８】
請求項１に記載の発明は、移動用の車輪を有する台車と、前記台車に支持部材を介して支持されたＸ線照射部と、前記台車に配設された表示部と、を備えた移動型Ｘ線検査装置において、Ｘ線検査を実行する検査場所の情報と、Ｘ線検査を実行する被検者の情報とを含むＸ線検査のオーダ情報を取得して記憶するオーダ情報記憶部と、Ｘ線検査を実行するときに、前記オーダ情報記憶部に記憶された前記被検者の情報を前記表示部に表示させるとともに、Ｘ線検査を実行しないときに、前記被検者の情報に替えて、前記オーダ情報記憶部に記憶された検査を行う検査場所の情報を前記表示部に表示させる画像処理部と、を備えたことを特徴とする。
【０００９】
請求項２に記載の発明は、請求項１に記載の発明において、前記画像処理部は、前記Ｘ線照射部がＸ線撮影を実行するための撮影位置に配置されたときに、前記被検者の情報を前記表示部に表示するとともに、前記Ｘ線照射部が装置を移動するための固定位置に配置されたときに、前記被検者の情報に替えて次の検査を行う検査場所の情報を前記表示部に表示する。
【００１０】
請求項３に記載の発明は、請求項２に記載の発明において、前記Ｘ線照射部は、前記固定位置にあるときに前記表示部の上部に配置されるとともに、前記画像処理部は、前記表示部における前記Ｘ線照射部に覆われない領域に、検査を行う検査場所の情報を表示する。
【発明の効果】
【００１１】
請求項１に記載の発明によれば、Ｘ線検査を実行するときは被検者の情報を表示部に表示させるとともに、Ｘ線検査を実行しないときには被検者の情報に替えて、検査を行う検査場所の情報を前記表示部に表示させることから、被検者の個人情報が保護されるとともに、検査を行うべき検査場所の情報を容易に認識することが可能となる。
【００１２】
請求項２に記載の発明によれば、Ｘ線照射部が撮影位置に配置されたときに被検者の情報を表示できるとともに、Ｘ線照射部が固定位置に配置されたときに、被検者の情報に替えて検査を行う検査場所の情報を表示部に表示することにより、被検者の個人情報が保護されるとともに、検査を行うべき検査場所の情報を容易に認識することが可能となる。
【００１３】
請求項３に記載の発明によれば、Ｘ線照射部が固定位置に配置されて表示部を覆った場合においても、検査を行う検査場所の情報を認識することが可能となる。
【図面の簡単な説明】
【００１４】
【図１】この発明に係る移動型Ｘ線検査装置の側面概要図である。
【図２】この発明に係る移動型Ｘ線検査装置の斜視図である。
【図３】この発明に係る移動型Ｘ線検査装置のブロック図である。
【図４】Ｘ線検査が実行されていないときの液晶タッチパネル２５の表示状態を模式的に示す説明図である。
【図５】検査場所情報表示エリアＥに表示される検査場所の情報を示す説明図である。
【発明を実施するための形態】
【００１５】
以下、この発明の実施の形態を図面に基づいて説明する。図１は、この発明に係る移動型Ｘ線検査装置の側面概要図である。また、図２は、この発明に係る移動型Ｘ線検査装置の斜視図である。
【００１６】
この移動型Ｘ線検査装置は、回診用Ｘ線撮影装置とも呼称されるものであり、複数の病室間を移動するとともに、各病室においてＸ線検査を実行するものである。この移動型Ｘ線検査装置は、台車１５に配設された支柱１４と、この支柱１４に対して昇降可能な状態で配設されたアーム１３と、アーム１３の先端に配設されたＸ線管１１と、このＸ線管１１の下方に配設されたコリメータ１２と、コリメータ１２に付設されたハンドル２６と、Ｘ線管１１から照射され被検者を通過したＸ線を検出するためのＸ線検出器としてのフラットパネルディテクタ１６と、このフラットパネルディテクタ１６を収納するための収納部１７とを備える。Ｘ線管１１およびコリメータ１２は、この発明に係るＸ線照射部を構成する。
【００１７】
また、この移動型Ｘ線検査装置は、フラットパネルディテクタ１６により検出されたデジタル画像や後述するオーダ情報の表示部、および、各種の操作を入力する入力部の両方の機能を備えた液晶タッチパネル２５を備える。さらに、この移動型Ｘ線検査装置は、方向変更用の車輪である左右一対の前輪２１と、駆動用の車輪である左右一対の後輪２２と、台車１５の進行方向を操作するための操作ハンドル１９とを備える。後輪２２は、台車１５内に配設されたモータの駆動により回転する。
【００１８】
Ｘ線管１１およびコリメータ１２から構成されるＸ線照射部とアーム１３とは、図１において実線で示す、台車１５を移動させるときにＸ線照射部を配置すべき位置である固定位置と、図１において仮想線で示す位置との間を昇降可能となっている。Ｘ線照射部が固定位置にある状態においては、アーム１３の下面はアームキャッチと呼称されるロック部１８に当接する。この状態においては、アーム１３の下面に配設されたピン２３がロック部１８に形成された穴部（図示せず）内に収納される。また、Ｘ線照射部は、アーム１３とともに、図２に示すように、固定位置から上昇した状態で、支柱１４を中心に旋回し、Ｘ線撮影を実行するための撮影位置まで移動する。
【００１９】
図３は、この発明に係る移動型Ｘ線検査装置のブロック図である。
【００２０】
この移動型Ｘ線検査装置は、プロセッサを備え、装置全体を制御する制御部５０を備える。この制御部５０は、病院内の無線ネットワークを介して、放射線情報システム（ＲＩＳ：Ｒａｄｉｏｌｏｇｙ  Ｉｎｆｏｒｍａｔｉｏｎ  Ｓｙｓｔｅｍｓ）１００と接続されている。この制御部５０は、無線ネットワークを介して、放射線情報システム１００から、医用画像のフォーマットとそれを扱う医用画像機器間の通信プロトコルを定義した標準規格であるＤＩＣＯＭや、このＤＩＣＯＭに対応した診断装置であるモダリティを管理するＭＷＭ（Ｍｏｄａｌｉｔｙ  Ｗｏｒｋｌｉｓｔ  Ｍａｎａｇｅｍｅｎｔ）等に適合したＸ線検査のオーダ情報を取得する。このＸ線検査のオーダ情報は、Ｘ線検査を実行する検査場所の情報と、Ｘ線検査を実行する被検者の情報とを含んでいる。
【００２１】
また、この制御部５０は、上述した液晶タッチパネル２５と接続されている。なお、この制御部５０は、上述したＸ線管１１およびコリメータ１２と有線により電気的に接続されるとともに、上述したフラットパネルディテクタ１６とＷｉｆｉ等の無線通信手段により接続されている。
【００２２】
さらに、この制御部５０は、機能的構成として、Ｘ線検査を実行する検査場所の情報とＸ線検査を実行する被検者の情報とを含むＸ線検査のオーダ情報を取得して記憶するオーダ情報記憶部５１と、画像処理部５２とを備える。この画像処理部５２は、後述するように、Ｘ線管１１およびコリメータ１２からなるＸ線照射部が装置を移動するための固定位置に配置されたときに、被検者の情報に替えて検査を行う検査場所の情報を液晶タッチパネル２５に表示する行き先表示部５３を備える。
【００２３】
次に、以上のような構成を有する移動型Ｘ線検査装置において、この発明に係る表示部としての液晶タッチパネル２５の表示の態様について説明する。図４は、Ｘ線検査が実行されていないときの液晶タッチパネル２５の表示状態を模式的に示す説明図である。
【００２４】
Ｘ線検査を実行する前には、この発明に係る移動型Ｘ線検査装置は、オペレータにより検査を実行する場所まで移動される。このときには、図１において実線で示すように、アーム１３の下面はアームキャッチと呼称されるロック部１８に当接しており、アーム１３の下面に配設されたピン２３がロック部１８に形成された穴部内に収納されて、Ｘ線管１１およびコリメータ１２から構成されるＸ線照射部は固定位置に配置されている。このときには、台車１５の上面に配設された液晶タッチパネル２５の表面の多くの領域は、図４に示すように、Ｘ線照射部におけるコリメータ１２により覆われている。
【００２５】
このときには、Ｘ線検査を実行する検査場所の情報とＸ線検査を実行する被検者の情報とを含むＸ線検査のオーダ情報が、制御部５０により、病院内の無線ネットワークを介して放射線情報システム１００から取得され、予め、オーダ情報記憶部５１に記憶されている。
【００２６】
Ｘ線管１１およびコリメータ１２よりなるＸ線照射部が、アーム１３の下面に配設されたピン２３がロック部１８に形成された穴部に収納された固定位置に配置されているときには、制御部５０における行き先表示部５３の作用により、図４に示すように、液晶タッチパネル２５には、予めオーダ情報記憶部５１に記憶されたオーダ情報のうち、次に検査が行われる検査場所の情報が表示される。この実施形態においては、検査場所の情報として、次の検査を「Ａ−３０１」で行うことを示している。この検査場所の情報は、液晶タッチパネル２５の表示画面における検査場所情報表示エリアＥ内に表示される。この検査場所情報表示エリアＥは、Ｘ線照射部におけるコリメータ１２に覆われない、外部から容易に視認可能な領域に配置されている。
【００２７】
図５は、検査場所情報表示エリアＥに表示される検査場所の情報を示す説明図である。
【００２８】
検査場所情報表示エリアＥに表示される検査場所の情報は、図５（ａ）に示すように、次に検査を行う場所の情報だけを表示してもよい。また、図５（ｂ）に示すように、これから検査を行う場所の情報を、複数、検査を実行する順に表示してもよい。さらに、図５（ｃ）に示すように、矢印により、複数の検査を行う場所の情報を選択して表示できるようにしてもよい。
【００２９】
一方、Ｘ線検査を実行するときには、Ｘ線照射部が図２に示す撮影位置に配置される。このときには、Ｘ線照射部がアーム１３とともに固定位置から上昇することにより、アーム１３の下面に配設されたピン２３がロック部１８に形成された穴部内から退出する。制御部５０が、ピン２３がロック部１８に形成された穴部内から退出したことを検知したときには、画像処理部５２における行き先表示部５３により、液晶タッチパネル２５には、オーダ情報のうち、被検者の情報とＸ線撮影についての各種の情報が表示される。そして、オペレータにより、これらの情報を利用してＸ線検査が実行される。
【００３０】
Ｘ線検査が終了し、装置の移動のためにＸ線照射部が図１において実線で示す固定位置に配置され、アーム１３の下面に配設されたピン２３がロック部１８に形成された穴部内に収納されたときには、画像処理部５２における行き先表示部５３の作用により、液晶タッチパネル２５からは被検者の情報を含むオーダ情報は消去され、液晶タッチパネル２５の表示画面における検査場所情報表示エリアＥ内に、次の検査場所の情報が表示される。このため、被検者の被検者の個人情報が保護されるとともに、次に検査を行うべき検査場所の情報を容易に認識することが可能となる。
【００３１】
なお、上述した実施形態においては、アーム１３の下面に配設されたピン２３がロック部１８に形成された穴部内に収納され、あるいは、退出したときに画面を切り替えているが、オペレータが液晶タッチパネル２５を操作してＸ線検査を開始してから、オペレータが再度液晶タッチパネル２５を操作してＸ線検査を終了するまでの間は液晶タッチパネル２５に被検者の情報を含む情報を表示させるとともに、それ以外のときには液晶タッチパネル２５に検査場所の情報を表示させるようにしてもよい。
【符号の説明】
【００３２】
１１      Ｘ線管
１２      コリメータ
１３      アーム
１４      支柱
１５      台車
１６      フラットパネルディテクタ
１８      ロック部
２５      液晶タッチパネル
５０      制御部
５１      オーダ情報記憶部
５２      画像処理部
５３      行き先表示部
１００    放射線情報システム
【図１】
2018068821.tif 000003
【図２】
2018068821.tif 000004
【図３】
2018068821.tif 000005
【図４】
2018068821.tif 000006
【図５】
2018068821.tif 000007